(57)【要約】【課題】  流量制御量が小さく応答速度が大きい作動特性を有する宇宙機器用電磁弁の作動のモニタリングを、簡単な構成かつ低コストの制御システムで以って高精度で施行し得る作動モニタリング装置を提供する。【解決手段】  電磁弁の開閉時期を含む弁の作動状態を検知してモニタリングする作動モニタリング装置を備えた宇宙機器用電磁弁において、電磁コイルに通電される電流の時間変化を検出する手段と、該電流の時間変化を表す電流変化率が正から負に転じた変化時期により前記電磁弁の開き始めを検出し、前記電流変化線が前記変化時期後において最初の谷になった時期により前記電磁弁の開き終わりを検出する手段とを備えたことを特徴とする。【選択図】  図１
2005061584.tif 000002
【特許請求の範囲】
【請求項１】
電磁コイルへの通電、遮断と弁ばねのばね力との関係により開閉される弁の開閉時期を含む弁の作動状態を検知してモニタリングする作動モニタリング装置を備えた宇宙機器用電磁弁において、前記電磁コイルに通電される電流の時間変化を検出する電流検出器を備えるとともに、該電流の時間変化を表す電流変化率を算出する手段と前記ばね力相当電流以上の電流の状態で前記電流変化率が正から負に転じる変化時期を算出して該変化時期により前記電磁弁の開き始めを検出する手段と前記電流変化線が前記変化時期後において最初の谷になった時期により前記電磁弁の開き終わりを検出する手段とを有する処理装置を備えてなることを特徴とする作動モニタリング装置を備えた宇宙機器用電磁弁。
【請求項２】
前記処理装置は、前記電流変化率を積分して一定のゲインを付与し前記電磁弁の弁変位を検出する手段を備えてなることを特徴とする請求項１記載の作動モニタリング装置を備えた宇宙機器用電磁弁。
【請求項３】
前記電磁弁の電磁コイルへの通電回路にコンデンサを接続してなることを特徴とする請求項１記載の作動モニタリング装置を備えた宇宙機器用電磁弁。
【発明の詳細な説明】
【技術分野】
【０００１】
本発明は、人工衛星を含む宇宙機器の推進用燃料通路を開閉する電磁弁に適用され、弁の開閉時期を含む弁の作動状態を検知してモニタリングする作動モニタリング装置を備えた宇宙機器用電磁弁に関する。
【背景技術】
【０００２】
各種制御弁、流量調整弁等に用いられ高精度の作動を要求される電磁弁の作動状態を検知しモニタリングする手段としては、従来、レーザ光を電磁弁の弁体運動部分に当てて該弁体運動部分の変位を検知するレーザ光変位計を用いてのモニタリング手段、電流計により検出したオッシログラフ波形を目視しながらモニタリングする手段等が簡便なモニタリング手段として用いられている。
【０００３】
また、内燃機関における燃料噴射時期制御用電磁弁の作動を検知しモニタリングする手段として、特許文献１（特開平１０−１２２４１６号）の発明が提案されている。かかる発明においては、負荷電流処理部のフェールセーフ信号生成部において駆動電流に基づきフェールセーフ信号を生成し、該フェールセーフ信号生成部において燃料噴射信号の終了時に対して前記駆動電流の遮断時が適正であるか否かに基づいてフェールセーフ信号の能動もしくは非能動状態を決定し、電子制御装置において前記フェールセーフ信号の反転エッジに基づいて駆動電流の適否を診断するように構成されている。
【０００４】
【特許文献１】特開平１０−１２２４１６号  （要約書及び図１）
【発明の開示】
【発明が解決しようとする課題】
【０００５】
人工衛星等の宇宙機器の推進用燃料通路を開閉する電磁弁は、弁リフトが微小で流量の制御量が小さい反面、応答速度がきわめて大きいという特性を有する。
然るに、前記レーザ光変位計を用いてのモニタリング手段及びオッシログラフを用いてのモニタリング手段にあっては、基本的には目視による検知であり定量的に電磁弁の作動状態を検知できないことから、電磁弁の作動状態の検知精度が低く、流量制御量が小さく応答速度がきわめて大きい宇宙機器用電磁弁には適用できない。
また、特許文献１の発明にあっては、燃料噴射時期制御用電磁弁の作動を高精度で検知可能であるが、電磁弁の作動制御システムが複雑かつ大掛りで高コストの構成となる、
等の問題点を有している。
【０００６】
本発明はかかる従来技術の課題に鑑み、流量制御量が小さく応答速度が大きい作動特性を有する宇宙機器用電磁弁の作動のモニタリングを、簡単な構成かつ低コストの制御システムで以って高精度で施行し得る作動モニタリング装置を提供することを目的とする。
【課題を解決するための手段】
【０００７】
本発明はかかる課題を解決するため、請求項１の発明として、電磁コイルへの通電、遮断と弁ばねのばね力との関係により開閉される弁の開閉時期を含む弁の作動状態を検知してモニタリングする作動モニタリング装置を備えた宇宙機器用電磁弁において、前記電磁コイルに通電される電流の時間変化を検出する電流検出器を備えるとともに、該電流の時間変化を表す電流変化率を算出する手段と前記ばね力相当電流以上の電流の状態で前記電流変化率が正から負に転じる変化時期を算出して該変化時期により前記電磁弁の開き始めを検出する手段と前記電流変化線が前記変化時期後において最初の谷になった時期により前記電磁弁の開き終わりを検出する手段とを有する処理装置を備えてなることを特徴とする作動モニタリング装置を備えた宇宙機器用電磁弁を提案する。
【０００８】
請求項１に加えて、好ましくは請求項２のように、前記処理装置は、前記電流変化率を積分して一定のゲインを付与し前記電磁弁の弁変位を検出する手段を備えてなるのがよい。
【０００９】
かかる発明によれば、電磁コイルに通電される電流の時間変化の検出値に基づき算出した電流変化率が正から負に転じる変化時期が電磁弁の開き始めとなり、前記電流変化線が前記変化時期後において最初の谷になった時期つまり前期電流変化率が前記変化時期後において負のピークになった時期が前記電磁弁の開き終わりとなることを実験及びシミュレーションにより知見し、かかる知見に基づき、電磁弁の開き始め時期及び該電磁弁が最大開度に達する開き終わり時期を検知する。
【００１０】
従ってかかる発明によれば、電流の時間変化を検出しその時間変化波形を解析することにより電磁弁の開き始め時期及び開き終わり時期を微細にかつ定量的に検知できるので、流量制御量が小さく応答速度がきわめて大きい宇宙機器用電磁弁の作動を正確にモニタリングすることができる。
また、電流検出器にて検出された電流の時間変化波形を解析するのみという、複雑な制御システムを必要とせず、きわめて簡単かつ低コストの構造及び手段で以って前記のような正確なモニタリングを行うことができる。
【００１１】
また、請求項１に加えて、好ましくは請求項３のように、前記電磁弁の電磁コイルへの通電回路にコンデンサを接続する。
このように構成すれば、電磁コイルへの通電回路にコンデンサを接続することにより、電磁弁への電流がステップ的に遮断されるのが回避され、該電磁弁の急激な閉止による衝撃の発生を防止できる。
【発明の効果】
【００１２】
以上記載の如く本発明によれば、電流の時間変化を検出しその時間変化波形を解析することにより電磁弁の開き始め時期及び開き終わり時期を微細にかつ定量的に検知できるので、流量制御量が小さく応答速度がきわめて大きい宇宙機器用電磁弁の作動を正確にモニタリングすることができる。
また、電流検出器にて検出された電流の時間変化波形を解析するのみという、複雑な制御システムを必要とせず、きわめて簡単かつ低コストの構造及び手段で以って前記のような正確なモニタリングを行うことができる。
【００１３】
また、請求項３のように構成すれば、電磁コイルへの通電回路にコンデンサを接続することにより、電磁弁への電流がステップ的に遮断されるのが回避され、該電磁弁の急激な閉止による衝撃の発生を防止できる。
【発明を実施するための最良の形態】
【００１４】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１５】
図１は本発明の実施例に係る宇宙機器用電磁弁の作動モニタリング装置の全体構成図、図２は前記電磁弁の作動モニタリング装置の制御ブロック図である。図３は前記実施例における電磁弁電流及び電磁弁作動の時間変化を示す線図である。図４は前記作動モニタリング装置の他の例を示す部分構成図である。
【００１６】
図１において、１００は宇宙機器用の電磁弁、１は該電磁弁１００の弁本体、３ａは該弁本体１に固定された弁座、３は弁体、４は作動流体入口、５は前記弁座３ａに穿孔された微小通路面積の作動流体出口、６は前記弁体３と弁本体１との間に架設された弁ばね、２は前記弁体３駆動用の電磁コイルである。１０は前記弁体３の変位を検出する変位センサであるが、該変位センサ１０及びこれに連結される補助棒０１０等は省略してもよい。
【００１７】
前記電磁弁１００において、電磁コイル２に通電されると、該電磁コイル２に発生する電磁力により前記弁体３が弁ばね６のばね力に抗して図の右方にリフトし、作動流体入口４側と作動流体出口５とが連通され、該作動流体入口４に導入された作動流体が微小通路面積の作動流体出口５から微小量送出される。
前記電磁コイル２の通電が遮断されると、弁ばね６のばね力により弁体３が弁座に着座し作動流体出口５が閉じられる。
【００１８】
図１に示される前記電磁弁１００の作動モニタリング装置において、１７は電源で、該電源１７と前記電磁弁１００の電磁コイル２とを接続する電気回路３４に設けられたスイッチ１９を接脱することにより、該電磁コイル２に通電、遮断するようになっている。
１４は前記電気回路３４を流れて前記コイル２に通電される電流の時間変化を検出する電流検出器、１５はローパスフィルタ、１６はＡ／Ｄ変換器、２０は処理装置、１３は表示装置である。
【００１９】
かかる作動モニタリング装置において、前記電流検出器１４にて検出されたコイル２への電流の時間変化（電流波形）Ｂ（図３参照）はローパスフィルタ１５にて高周波ノイズが除去され、Ａ／Ｄ変換器１６にてデジタル信号に変換されて処理装置２０に入力され、該処理装置２０にて後述するような処理がなされた後、その結果が表示装置１３に表示される。
【００２０】
次に、図２の制御ブロック図及び図３の時間変化線図に基づき、前記電磁弁１００の作動モニタリング装置の動作を説明する。
Ａ／Ｄ変換器１６から処理装置２０に入力された電流Ｂの時間変化の検出信号は、位相補償部２１にて図３に示されるような滑らかな時間変化に補償される。尚、前記Ａ／Ｄ変換器１６の前に位相補償部２１での前記補償を行うようにしてもよい。また、以後の説明ではデジタル演算、制御の場合も図３のアナログ時間変化線図を用いて説明する。
【００２１】
前記位相補償部２１にて位相補償がなされた電流Ｂは微分器２３に入力され、該微分器２３において微分動作がなされて電流増加率（電流変化率）Ｃが得られ、該電流増加率Ｃは勾配検出部２７に入力される。該勾配検出部２７においては、前記電流Ｂの大きさが前記ばね６のばね力つまり開弁ばね力に相当する電流以上の状態で、前記電流増加率Ｃが正（増加）から負（減少）へ変化する変化時期Ｔ４を検出し弁開き始め検出部２９に入力する。
ここで、前記電流変化率Ｃが正から負に転じる変化時期Ｔ４が電磁弁１００の開き始め時期Ｔｓと一致することが、実験及びシミュレーションにより得られており、かかるデータが弁開き始め検出部２９に設定されている。
該弁開き始め検出部２９においては、前記電流変化率Ｃ変化時期Ｔ４と電磁弁１００の弁変位Ａとを対応させて該電磁弁１００の開き始め時期Ｔｓを算出する。
【００２２】
一方、前記位相補償部２１にて位相補償がなされた電流Ｂはピーク値検出部２２にも入力され、該ピーク値検出部２２において前記電流Ｂが前記変化時期Ｔ４後において最初の谷になる時期つまり前記電流変化率Ｃが負のピークになる時期Ｔ２を算出する。
ここで、前記電流Ｂが前記変化時期Ｔ４後において最初の谷になる時期Ｔ２が電磁弁１００の開き終わり時期Ｔｅと一致することが、実験及びシミュレーションにより得られており、かかるデータが弁開き終わり検出部２８に設定されている。
該弁開き終わり検出部２８においては、前記電流Ｂが最初の谷になる時期Ｔ２と電磁弁１００の弁変位Ａとを対応させて該電磁弁１００の開き終わり時期Ｔｅを算出する。
【００２３】
また、前記微分器２３からの電流増加率（電流変化率）Ｃは反転部２４に入力されて該反転部２４で符号変換され、さらにゲイン付与部２５にて一定のゲインが乗じられた後、積分器２６にて積分動作がなされて弁変位検出部３０に入力され、該弁変位検出部３０において電磁弁１００の弁体６の変位Ａを算出する。
【００２４】
前記弁開き始め検出部２９からの電磁弁１００の開き始め時期Ｔｓ、該弁開き終わり検出部２８からの電磁弁１００の開き終わり時期Ｔｅ及び該弁変位検出部３０からの電磁弁１００における弁体６の変位Ａ等の、電磁弁１００の作動状態信号は前記表示装置１３に入力される。
従って、該表示装置１３に表示される前記電磁弁１００の作動状態信号により該電磁弁１００の正確なモニタリングが可能となる。
【００２５】
図４に示される作動モニタリング装置の他の例においては、前記電磁弁１００のコイル２への通電回路３４にコンデンサ１８を接続している。
このコンデンサ１８により、電磁弁１００閉止時において、該電磁弁１００への電流がステップ的に遮断されるのが回避され、該電磁弁１００の急激な閉止による衝撃の発生を防止できる。
その他の構成は図１の実施例と同様であり、これと同一の部材は同一の符号で示す。
【産業上の利用可能性】
【００２６】
本発明によれば、流量制御量が小さく応答速度が大きい作動特性を有する宇宙機器用電磁弁の作動のモニタリングを、簡単な構成かつ低コストの制御システムで以って高精度で施行し得る作動モニタリング装置を提供でき、人工衛星等の宇宙機器の推進用燃料通路を開閉する電磁弁として有効である。
【図面の簡単な説明】
【００２７】
【図１】本発明の実施例に係る宇宙機器用電磁弁の作動モニタリング装置の全体構成図である。本発明の実施例に係る電磁弁の作動モニタリング装置の制御ブロック図である。
【図２】前記電磁弁の作動モニタリング装置の制御ブロック図である。
【図３】前記実施例における電磁弁電流及び電磁弁作動の時間変化を示す線図である。
【図４】前記作動モニタリング装置の他の例を示す部分構成図である。
【符号の説明】
【００２８】
１００    宇宙機器用電磁弁
１    弁ケース
２    電磁コイル
３    弁体
３ａ    弁座
６    弁ばね
１３    表示装置
１４    電流検出器
１５    ローパスフィルタ
１６    Ａ／Ｄ変換器
２０    処理装置
１７    電源
１９    スイッチ
３４    電気回路
【図１】
2005061584.tif 000003
【図２】
2005061584.tif 000004
【図３】
2005061584.tif 000005
【図４】
2005061584.tif 000006